【手続補正書】
【提出日】平成27年12月1日(2015.12.1)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器(UE)で、前記UEにより特定の期間内にダウンリンクチャネル測定値に対してサポートされる最大数のチャネル状態情報(CSI)プロセスを判断するステップであって、前記CSIプロセスは、干渉を受けたCSIリソース、干渉を受けないCSIリソース、または前記干渉を受けたCSIリソースおよび前記干渉を受けないCSIリソースの組合せを含む、ステップと、
前記UE能力をeNodeBに送信するステップと、
前記eNodeBによって要求され得る複数のCSIプロセスを識別する複数のCSIプロセス構成を受信するステップと、
前記eNodeBによって要求されたCSIプロセスの数がCSIプロセスの前記最大数より大きいとき、過去に生成されたCSI報告に少なくとも一部基づいて、特定のCSIプロセスに関する少なくとも1つの古いCSI報告を生成するステップと、
を含む方法。
【請求項２】
少なくとも1つのCSIプロセスに関する少なくとも1つのCSI要求を受信するステップであって、前記少なくとも1つのCSI要求が、特定の期間内のCSIプロセスの数をCSIプロセスの前記最大数よりも高くさせる、受信するステップと、
前記少なくとも1つの古いCSI報告を送信するステップと
をさらに含む、請求項1に記載の方法。
【請求項３】
前記複数のCSIプロセス構成によって識別された前記複数のCSIプロセスが索引付けされ、
前記少なくとも1つの古いCSI報告が、前記最大数のサポートされるCSIプロセスを超える、最も高く索引付けされたプロセスである
請求項2に記載の方法。
【請求項４】
前記最大数のサポートされるCSIプロセスまで、最も低く索引付けされたCSIプロセスに関して最後に示された測定リソースに少なくとも一部基づいて、少なくとも1つのCSI報告を生成するステップ
をさらに含む、請求項3に記載の方法。
【請求項５】
前記複数のCSIプロセス構成によって識別された前記複数のCSIプロセスが非周期的CSIプロセス要求である、請求項2に記載の方法。
【請求項６】
CSI報告要求に少なくとも一部基づいて、CSI報告を生成するステップと、
前記CSI報告を送信するステップと
をさらに含む、請求項1に記載の方法。
【請求項７】
ワイヤレス通信の方法であって、
前記UEにより特定の期間内にダウンリンクチャネル測定値に対してサポートされる最大数のチャネル状態情報(CSI)プロセスに関する能力を受信するステップであって、前記CSIプロセスは、干渉を受けたCSIリソース、干渉を受けないCSIリソース、または前記干渉を受けたCSIリソースおよび前記干渉を受けないCSIリソースの組合せを含む、ステップと、
eNodeBによって要求され得る複数のCSIプロセスを識別する複数のCSIプロセス構成を送信するステップと、
前記eNodeBによって要求されたCSIプロセスの数がCSIプロセスの前記最大数より大きいとき、過去に生成されたCSI報告に少なくとも一部基づいて、特定のCSIプロセスに関する少なくとも1つの古いCSI報告を受信するステップと、
を含む方法。
【請求項８】
前記受信された能力に少なくとも一部基づいて、ユーザ機器(UE)に送信されるCSI要求の数を制限するステップをさらに含む、請求項7に記載の方法。
【請求項９】
少なくとも1つのCSIプロセスに関する少なくとも1つのCSI要求を送信するステップであって、前記少なくとも1つのCSI要求が、特定の期間内のCSIプロセスの数をCSIプロセスの前記最大数よりも高くさせる、送信するステップと、
をさらに含む、請求項7に記載の方法。
【請求項１０】
ワイヤレス通信のためのユーザ機器(UE)であって、
メモリと、
前記メモリに結合された少なくとも1つのプロセッサとを備え、前記少なくとも1つのプロセッサが、
前記UEにより特定の期間内にダウンリンクチャネル測定値に対してサポートされる最大数のチャネル状態情報(CSI)プロセスを判断することであって、前記CSIプロセスは、干渉を受けたCSIリソース、干渉を受けないCSIリソース、または前記干渉を受けたCSIリソースおよび前記干渉を受けないCSIリソースの組合せを含むことと、
前記UE能力をeNodeBに送信することと、
前記eNodeBによって要求され得る複数のCSIプロセスを識別する複数のCSIプロセス構成を受信することと、
前記eNodeBによって要求されたCSIプロセスの数がCSIプロセスの前記最大数より大きいとき、過去に生成されたCSI報告に少なくとも一部基づいて、特定のCSIプロセスに関する少なくとも1つの古いCSI報告を生成することと、
を行うように構成されるUE。
【請求項１１】
前記少なくとも1つのプロセッサがさらに、
少なくとも1つのCSIプロセスに関する少なくとも1つのCSI要求を受信することであって、前記少なくとも1つのCSI要求が、特定の期間内のCSIプロセスの数をCSIプロセスの前記最大数よりも高くさせる、受信することと、
前記少なくとも1つの古いCSI報告を送信することと
を行うように構成される、請求項10に記載のUE。
【請求項１２】
前記複数のCSIプロセス構成によって識別された前記複数のCSIプロセスが索引付けされ、
前記少なくとも1つの古いCSI報告が、前記最大数のサポートされるCSIプロセスを超える、最も高く索引付けされたプロセスである
請求項11に記載のUE。
【請求項１３】
前記少なくとも1つのプロセッサがさらに、前記最大数のサポートされるCSIプロセスまで、最も低く索引付けされたCSIプロセスに関して最後に示された測定リソースに少なくとも一部基づいて、少なくとも1つのCSI報告を生成するように構成される、請求項12に記載のUE。
【請求項１４】
前記複数のCSIプロセス構成によって識別された前記複数のCSIプロセスが非周期的CSIプロセス要求である、請求項11に記載のUE。
【請求項１５】
前記少なくとも1つのプロセッサがさらに、
CSI報告要求に少なくとも一部基づいて、CSI報告を生成することと、
前記CSI報告を送信することと
を行うように構成される、請求項10に記載のUE。
【請求項１６】
ワイヤレス通信のための装置であって、
メモリと、
前記メモリに結合された少なくとも1つのプロセッサとを備え、前記少なくとも1つのプロセッサが、
前記UEにより特定の期間内にダウンリンクチャネル測定値に対してサポートされる最大数のチャネル状態情報(CSI)構成プロセスに関する能力を受信することであって、前記CSIプロセスは、干渉を受けたCSIリソース、干渉を受けないCSIリソース、または前記干渉を受けたCSIリソースおよび前記干渉を受けないCSIリソースの組合せを含むことと、
eNodeBによって要求され得る複数のCSIプロセスを識別する複数のCSIプロセス構成を送信することと、
前記eNodeBによって要求されたCSIプロセスの数がCSIプロセスの前記最大数より大きいとき、過去に生成されたCSI報告に少なくとも一部基づいて、特定のCSIプロセスに関する少なくとも1つの古いCSI報告を受信することと、
を行うように構成される装置。
【請求項１７】
前記少なくとも1つのプロセッサがさらに、前記受信された能力に少なくとも一部基づいて、ユーザ機器(UE)に送信されるCSI報告の数を制限するように構成される、請求項16に記載の装置。
【請求項１８】
前記少なくとも1つのプロセッサがさらに、
少なくとも1つのCSIプロセスに関する少なくとも1つのCSI要求を送信することであって、前記少なくとも1つのCSI要求が、特定の期間内のCSIプロセスの数をCSIプロセスの前記最大数よりも高くさせる、送信することと、
を行うように構成される、請求項16に記載の装置。
【請求項１９】
ワイヤレス通信のための装置であって、
ユーザ機器(UE)で、前記UEにより特定の期間内にダウンリンクチャネル測定値に対してサポートされる最大数のチャネル状態情報(CSI)プロセスを判断する手段であって、前記CSIプロセスは、干渉を受けたCSIリソース、干渉を受けないCSIリソース、または前記干渉を受けたCSIリソースおよび前記干渉を受けないCSIリソースの組合せを含む、手段と、
前記UE能力をeNodeBに送信する手段と、
前記eNodeBによって要求され得る複数のCSIプロセスを識別する複数のCSIプロセス構成を受信する手段と、
前記eNodeBによって要求されたCSIプロセスの数がCSIプロセスの前記最大数より大きいとき、過去に生成されたCSI報告に少なくとも一部基づいて、特定のCSIプロセスに関する少なくとも1つの古いCSI報告を生成する手段と、
を含む装置。
【請求項２０】
ワイヤレス通信のための装置であって、
前記UEにより特定の期間内にダウンリンクチャネル測定値に対してサポートされる最大数のチャネル状態情報(CSI)プロセスに関する能力を受信する手段であって、前記CSIプロセスは、干渉を受けたCSIリソース、干渉を受けないCSIリソース、または前記干渉を受けたCSIリソースおよび前記干渉を受けないCSIリソースの組合せを含む、手段と、
eNodeBによって要求され得る複数のCSIプロセスを識別する複数のCSIプロセス構成を送信する手段と、
前記eNodeBによって要求されたCSIプロセスの数がCSIプロセスの前記最大数より大きいとき、過去に生成されたCSI報告に少なくとも一部基づいて、特定のCSIプロセスに関する少なくとも1つの古いCSI報告を受信する手段と、
を含む装置。
【請求項２１】
ワイヤレス通信のためのコンピュータプログラムであって、
ユーザ機器(UE)で、前記UEにより特定の期間内にダウンリンクチャネル測定値に対してサポートされる最大数のチャネル状態情報(CSI)プロセスを判断するためのプログラムコードであって、前記CSIプロセスは、干渉を受けたCSIリソース、干渉を受けないCSIリソース、または前記干渉を受けたCSIリソースおよび前記干渉を受けないCSIリソースの組合せを含む、プログラムコードと、
前記UE能力をeNodeBに送信するためのプログラムコードと、
前記eNodeBによって要求され得る複数のCSIプロセスを識別する複数のCSIプロセス構成を受信するためのプログラムコードと、
前記eNodeBによって要求されたCSIプロセスの数がCSIプロセスの前記最大数より大きいとき、過去に生成されたCSI報告に少なくとも一部基づいて、特定のCSIプロセスに関する少なくとも1つの古いCSI報告を生成するためのプログラムコードと、
を含むコンピュータプログラム。
【請求項２２】
ワイヤレス通信のためのコンピュータプログラムであって、
前記UEにより特定の期間内にダウンリンクチャネル測定値に対してサポートされる最大数のチャネル状態情報(CSI)プロセスに関する能力を受信するためのプログラムコードであって、前記CSIプロセスは、干渉を受けたCSIリソース、干渉を受けないCSIリソース、または前記干渉を受けたCSIリソースおよび前記干渉を受けないCSIリソースの組合せを含む、プログラムコードと、
eNodeBによって要求され得る複数のCSIプロセスを識別する複数のCSIプロセス構成を送信するためのプログラムコードと、
前記eNodeBによって要求されたCSIプロセスの数がCSIプロセスの前記最大数より大きいとき、過去に生成されたCSI報告に少なくとも一部基づいて、特定のCSIプロセスに関する少なくとも1つの古いCSI報告を受信するためのプログラムコードと、
を含むコンピュータプログラム。